(57)【要約】【課題】ガスホースに幼児や高齢者が躓いて転倒することを抑止する。ガスホースが無用に引っ張られてガス機器やガス機器で加熱中の鍋などが転倒するのを抑止する。【解決手段】ガス栓接続口又はガス機器接続口に装着されるプラグ１０とプラグ１０に着脱自在に接続されガスホース３の端部に装着されるソケット２０とを備え、プラグ１０とソケット２０はガスホース３に加わる引き離し力で分離可能な磁力で互いに吸着する。【選択図】図２
2015232359.tif 000002
【特許請求の範囲】
【請求項１】
ガス栓接続口又はガス機器接続口に装着されるプラグと該プラグに着脱自在に接続されガスホースの端部に装着されるソケットとを備え、
前記プラグと前記ソケットは前記ガスホースに加わる引き離し力で分離可能な磁力で互いに吸着することを特徴とするガスホース接続構造。
【請求項２】
前記ソケットの先端部と前記プラグの本体部が磁力で吸着することを特徴とする請求項１記載のガスホース接続構造。
【請求項３】
前記ソケットが備える係合用ボールと前記プラグが備える係合溝部が磁力で吸着することを特徴とする請求項１記載のガスホース接続構造。
【発明の詳細な説明】
【技術分野】
【０００１】
本発明は、ガス栓等にガスホースを介してガス機器を接続するガスホース接続構造に関するものである。
【背景技術】
【０００２】
一般に、可搬式のガス機器とガス供給源となるガス栓の接続口とを接続するにはガスホースを含む接続具が用いられる。この接続具は、ガス栓接続口或いはガス機器接続口にプラグを装着し、ガスホースの端部にソケットを装着して、プラグとソケットとの接続で簡易且つ確実な接続を可能にするもの（例えば、ガスコード（登録商標）など）が知られている（下記特許文献１参照）。
【先行技術文献】
【特許文献】
【０００３】
【特許文献１】特開２０１０−６００６７号公報
【発明の概要】
【発明が解決しようとする課題】
【０００４】
前述した従来の接続具は、プラグのロック溝部にソケットのロック用ボールを係合させ、ソケットが備えるスリーブ部材がロック用ボールを覆うようにバネ付勢されることで、プラグとソケットの正常な接続状態では両者がロック状態になる。プラグからソケットを取り外す際には、人手でスリーブ部材をバネ付勢に逆らってガスホース側にスライドさせることで、ロック用ボールの動き規制が解除されると共にロック溝部からロック用ボールが外れてプラグからソケットを取り外すことができる。
【０００５】
このような接続具では、単純にガスホースを引っ張っただけではプラグからソケットが外れない利点があるものの、床にガスホースを這わせてガス機器を使用するような場合には、ガスホースに幼児や高齢者が躓いて転倒することの懸念がある。また、ガスホースを無意識に引っ張ってしまいガス機器を転倒させたり、ガス機器で加熱している鍋などを転倒させてしまうことの懸念もあった。
【０００６】
本発明は、このような問題に対処することを課題の一例とするものである。すなわち、ガスホースを介してガス栓とガス機器を接続する際に、ガスホースに幼児や高齢者が躓いて転倒することを抑止すること、ガスホースが無意識に引っ張られてガス機器やガス機器で加熱中の鍋などが転倒するのを抑止すること、等が本発明の目的である。
【課題を解決するための手段】
【０００７】
このような目的を達成するために、本発明は、明細書に記載された幾つかの発明のうち以下の構成を具備するものである。
ガス栓接続口又はガス機器接続口に装着されるプラグと該プラグに着脱自在に接続されガスホースの端部に装着されるソケットとを備え、前記プラグと前記ソケットは前記ガスホースに加わる引き離し力で分離可能な磁力で互いに吸着することを特徴とするガスホース接続構造。
【発明の効果】
【０００８】
このような特徴を有するガスホース接続構造は、ガスホースに加わる引き離し力で分離可能な磁力でプラグとソケットが互いに吸着されるので、ガスホースに引き離し力が作用しないときには磁力でプラグとソケットが確実に接続され、ガスホースに引き離し力が作用した場合にはプラグとソケットが分離する。これにより、ガスホースに幼児や高齢者が躓いて転倒することを抑止することができ、また、ガスホースが無意識に引っ張られてガス機器やガス機器で加熱中の鍋などが転倒するのを抑止することができる。
【図面の簡単な説明】
【０００９】
【図１】本発明の実施形態に係るガスホース接続構造の使用例を示した説明図である。
【図２】本発明の実施形態に係るガスホース接続構造の構成例を示した説明図である。
【図３】本発明の実施形態に係るガスホース接続構造の他の構成例を示した説明図である。
【発明を実施するための形態】
【００１０】
以下、本発明の実施形態を図面を参照して説明する。図１は本発明の一実施形態に係るガスホース接続構造の使用例を示している。
【００１１】
ガス栓１とガスコンロなどのガス機器２がゴム管などで構成されるガスホース３を介して接続されている。ここで、ガス栓接続口１Ａとガス機器接続口２Ａには、プラグ１０が装着されている。ガス栓接続口１Ａに装着されたプラグ１０がガス栓側プラグ１０Ａであり、ガス機器接続口２Ａに装着されたプラグ１０がガス機器側プラグ１０Ｂである。
【００１２】
これに対して、ガスホース３の両端にはソケット２０が装着されている。ガス栓１側のガスホース３の端部に装着されたソケット２０がガス栓側ソケット２０Ａであり、ガス機器２側のガスホース３の端部に装着されたソケット２０がガス機器側ソケット２０Ｂである。この例ではガス栓側プラグ１０Ａにガス栓側ソケット２０Ａを接続し、ガス機器側プラグ１０Ｂにガス機器側ソケット２０Ｂを接続することで、ガスホース３を介してガス栓１からガス機器２にガス供給を行うことができる。ここでのガス栓１は、ガス栓１からガスが大気放出されるのを防止する安全装置が備えられていることが前提となる。
【００１３】
図２は、本発明の実施形態に係るガスホース接続構造の構成例を示している。図２の（ａ）がプラグ１０とソケット２０が非接続の状態であり、（ｂ）がプラグ１０とソケット２０が接続された状態を示している。本発明の実施形態に係るガスホース接続構造は、ガス栓接続口又はガス機器接続口に装着されるプラグ１０とプラグ１０に着脱自在に接続されガスホース３の端部に装着されるソケット２０とを備えている。
【００１４】
プラグ１０は、本体部１１と接続部１２を備えており、それらの中心軸に沿ってガス流路１３が通っている。接続部１２は、その先端側に筒状の挿入部１２Ａを備え、その基端側に挿入部１２Ａより外径が大きい基部１２Ｂを備える。
【００１５】
ソケット２０は、ガスホース３の端部に装着されるガスホース装着部２１、ガスホース装着部２１の先端部に連結される筒状本体部２２、筒状本体部２２の内部でスライド自在に配備される作動部２３、作動部２３をプラグ１０側にバネ付勢するコイルバネ２４、筒状本体部２２の外側に設けられる外装部２５、プラグ１０との接続を行う接続部２６を備えている。
【００１６】
このソケット２０は、図２（ａ）に示すように、プラグ１０に接続されていない状態では、作動部２３の先端部が筒状本体部２２のガス流通路を塞いだ状態になっている。そして、図２（ｂ）に示すように、プラグ１０にソケット２０が接続されると、プラグ１０の接続部１２の先端がコイルバネ２４のバネ力に抗して作動部２３をガスホース３側に押すことで、作動部２３の側部に設けた挿通孔２３Ａが開放されて破線で示すガス流路が形成される。
【００１７】
このようなプラグ１０とソケット２０を備えたガスホース接続構造において、図２に示した実施形態では、ソケット２０の接続部２６とプラグ１０の本体部１１が磁力で互いに吸着される。具体的には、ソケット２０の接続部２６にマグネット３０が備えられており、プラグ１０の本体部１１にはマグネット３０が吸着する磁性体３１が備えられている。このマグネット３０と磁性体３１とは、ガスホース３に加わる引き離し力で分離可能な磁力で互いに吸着されている。ここでは、ソケット２０がマグネット３０を備えプラグ１０が磁性体３１を備える構造にしているが、プラグ１０がマグネットを備えソケット２０が磁性体を備えるか、プラグ１０とソケット２０の両方が互いに吸着するマグネットを備える構造であってもよい。
【００１８】
このようなガスホース接続構造によると、プラグ１０とソケット２０がガスホース３に加わる引き離し力で分離可能な磁力で互いに吸着するので、ガスホース３に引き離し力が作用しないときには磁力でプラグ１０とソケット２０が確実に接続され、ガスホース３に引き離し力が作用した場合にはプラグ１０とソケット２０が簡単に分離する。これにより、床に這わせたガスホース３に幼児や高齢者の足が掛かったとしても躓く前にプラグ１０とソケット２０が分離することになり、幼児や高齢者がガスホース３に躓いて転倒することを未然に抑止することができる。
【００１９】
また、ガスホースが無意識に引っ張られた場合にも、ガス機器が移動又は転倒する前にプラグ１０とソケット２０が分離して引っ張り力がガス機器に及ばないようにしているので、ガスホース３が引っ張られてガス機器やガス機器で加熱中の鍋などが転倒する不具合を未然に抑止することができる。
【００２０】
図３は、本発明の他の実施形態に係るガスホース接続構造の構成例を示している。図３の（ａ）がプラグ１０とソケット２０が非接続の状態であり、（ｂ）がプラグ１０とソケット２０が接続された状態を示している。図２に示した例と共通する部位は同一符号を付して重複説明を省略する。
【００２１】
図３に示した例は、ソケット２０が係合用ボール４０を備えており、プラグ１０が係合用ボール４０に係合する係合溝部１２Ｃを備えている。ソケット２０の係合用ボール４０は、ソケット２０がプラグ１０に接続されていない状態（図３（ａ）の状態）では、作動部２３の外側で接続部２６内面の溝部に退避している。そして、プラグ１０の先端が作動部２３をガスホース３側に押してプラグ１０とソケット２０が接続すると、作動部２３を押したプラグ１０の挿入部１２Ａの外周に形成された係合溝部１２Ｃに係合用ボール４０が係合する。
【００２２】
この例では、係合用ボール４０がマグネットで構成され、係合溝部１２Ｃがマグネットの係合用ボール４０を吸着する磁性体で形成されている。このようなプラグ１０とソケット２０を備えたガスホース接続構造は、ソケット２０の係合用ボール４０とプラグ１０の係合溝部１２Ｃがガスホース３に加わる引き離し力で分離可能な磁力で互いに吸着される。このようなガスホース接続構造によると、ガスホース３に引き離し力が作用しないときには磁力で係合用ボール４０が係合溝部１２Ｃに係合された状態が保たれてプラグ１０とソケット２０が確実に接続され、ガスホース３に引き離し力が作用した場合には、係合溝部１２Ｃから係合用ボール４０が外れてプラグ１０とソケット２０が簡単に分離する。
【００２３】
このような図３に示した実施形態においても、前述した図２に示した実施形態と同様に、ガスホースに幼児や高齢者が躓いて転倒することを抑止することができ、また、ガスホースが無意識に引っ張られてガス機器やガス機器で加熱中の鍋などが転倒するのを抑止することができる。
【００２４】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。
【符号の説明】
【００２５】
１：ガス栓，２：ガス機器（ガスコンロ），３：ガスホース，
１０：プラグ，１１：本体部，
１２：接続部，１２Ａ：挿入部，１２Ｂ：基部，１２Ｃ：係合溝部，
２０：ソケット，２１：ガスホース装着部，２２：筒状本体部，２３：作動部，
２４：コイルバネ，２５：外装部，２６：接続部，
３０：マグネット，３１：磁性体，４０：係合用ボール
【図１】
2015232359.tif 000003
【図２】
2015232359.tif 000004
【図３】
2015232359.tif 000005